(57)【要約】【課題】  製造にかかる手間を軽減し、コストダウン等を図る。【解決手段】  全体が一体に成形されたウレタンフォーム製の基材部１１と、この基材部１１の内部に埋設されたマグネット１２と、このマグネット１２が埋設された箇所から基材部１１の表面にかけて穿設された透磁孔１３とを備えた磁気枕１０であって、マグネット１２が透磁孔１３の外周部分から突出した状態で配置されるように透磁孔１３の形状が形成されることにより、マグネット１２が透磁孔１３の周縁部によって埋設された位置に保持されている。【選択図】      図１
2005143913.tif 000002
【特許請求の範囲】
【請求項１】
全体が一体に成形された樹脂製の基材部と、この基材部の内部に埋設されたマグネットと、このマグネットが埋設された箇所から前記基材部の表面にかけて穿設された透磁孔とを備え、
前記マグネットが前記透磁孔の外周部分から突出した状態で配置されるように前記透磁孔の形状が形成されることにより、前記マグネットが前記透磁孔の周縁部によって前記埋設された位置に保持されている
ことを特徴とする磁気健康用品。
【請求項２】
請求項１記載の磁気健康用品において、
前記マグネットが略円板状又は円柱状に形成されるとともに、前記透磁孔も略円柱状に形成され、
前記透磁孔の径が前記マグネットの径よりも小さく設定されている
ことを特徴とする磁気健康用品。
【請求項３】
請求項１又は２記載の磁気健康用品において、
前記基材部が、低反発性ウレタンフォームで形成されている
ことを特徴とする磁気健康用品。
【請求項４】
請求項１〜３のいずれかに記載の磁気健康用品を製造する方法において、
容器状に形成された金型本体の表面から突出する磁気突起部に前記マグネットを吸着させ、前記金型本体に溶融した樹脂を流し込み、
前記溶融した樹脂を固体化させることにより、前記マグネットが前記樹脂内に埋設された状態で前記樹脂と前記マグネットとを一体化させるとともに、前記磁気突起部が配置されている部分に前記透磁孔を形成した状態で、前記基材部を形成し、
この基材部を前記金型から取り外し、この取り外しに伴って前記マグネットを前記磁気突起部から取り外す
ことを特徴とする磁気健康用品の製造方法。
【請求項５】
請求項４記載の磁気健康用品の製造方法において、
前記マグネットを、前記磁気突起部の外周部分から外周側に突出させた状態で前記磁気突起部に吸着させた
ことを特徴とする磁気健康用品の製造方法。
【請求項６】
請求項４又は５記載の磁気健康用品の製造方法に使用される金型であって、
容器状に形成された金型本体に、この本体の表面から突出し、上端に前記マグネットが保持される磁気突起部が配設されている
ことを特徴とする金型。
【請求項７】
請求項６記載の磁気健康用品の製造方法に使用される金型であって、
前記磁気突起部には、その内部に配置された磁性体と、この磁性体の外側に配置されて前記磁性体を保持するホルダー部とが具備されている
ことを特徴とする金型。
【請求項８】
請求項７記載の金型において、
前記ホルダー部の上端には、前記マグネットと前記磁性体との吸着力を高めるためのホルダー孔が形成されている
ことを特徴とする金型。
【発明の詳細な説明】
【技術分野】
【０００１】
本発明は、マグネットを用いて健康を増進させる磁気健康用品、及び、その磁気健康用品の製造方法、及び、その製造方法に使用する金型に関するものである。
【背景技術】
【０００２】
従来、肩や首のこり、背中のだるさ等を解消するために、マグネットを用いた健康器具が広く用いられている（例えば特許文献１）。
【０００３】
このような、健康器具は、通常、人間の体と直接的に密着するため、マグネットは健康器具内に埋設されているのが一般的である。かかる健康器具の一例としては、図９、図１０に記載された構造を有するものが知られている。
【０００４】
この磁気健康用品は、磁気枕１００であり、この磁気枕１００は、主にポリウレタン等のような柔軟性を有する発泡性の合成樹脂で形成された枕基材１０１と、複数のマグネット１０２が備えられた保持用シート１０３と、マグネット１０２に対応する位置に透磁孔１０４が形成され、枕基材１０１と同じく主にポリウレタン等のような柔軟性を有する発泡性の合成樹脂で形成された被覆材１０５とを備えている。
【０００５】
そして、枕基材１０１の上に保持用シート１０３が配置され、この保持用シート１０３の上に保持用シート１０３と透磁孔１０４とが対応する位置に配置される状態で被覆材１０５が配置され、枕基材１０１と被覆材１０５とを貼り合わせることにより、磁気枕１００が構成されている。
【０００６】
すなわち、マグネット１０２が備えられた保持用シート１０３上に被覆材１０５が配置されることにより、マグネット１０２が枕基材１０１に埋設される構造となっている。
【０００７】
この磁気枕１００の製造は、まず、枕基材１０１、及び、保持用シート１０３、及び、被覆材１０５を各々個別に製造し、次に、枕基材１０１の上に保持用シート１０３を配置し、さらに、その保持用シート１０３の上に被覆材１０５を配置し、枕基材１０１と被覆材１０５とを貼り合わせることにより行われる。
【特許文献１】特開平７−１２４０４６号公報
【発明の開示】
【発明が解決しようとする課題】
【０００８】
上記の構成の磁気枕１００では、磁気枕１００内にマグネット１０２を埋設するために、枕基材１０１、及び、保持用シート１０３、及び、被覆材１０５を各々個別に製造し、その後、これらの部材を貼り合わせるという作業を採る必要があるが、製造にかかる手間をより軽減することが求められていた。
【０００９】
本発明は、製造にかかる手間を軽減することが出来る磁気健康用品、及び、その磁気健康用品を製造する方法、及び、その製造方法に使用される金型を提供することを目的とする。
【課題を解決するための手段】
【００１０】
請求項１記載の発明は、全体が一体に成形された樹脂製の基材部と、この基材部の内部に埋設されたマグネットと、このマグネットが埋設された箇所から前記基材部の表面にかけて穿設された透磁孔とを備え、前記マグネットが前記透磁孔の外周部分から突出した状態で配置されるように前記透磁孔の形状が形成されることにより、前記マグネットが前記透磁孔の周縁部によって前記埋設された位置に保持されていることを特徴とする。
【００１１】
請求項２記載の発明は、請求項１記載の磁気健康用品において、前記マグネットが略円板状又は円柱状に形成されるとともに、前記透磁孔も略円状に形成され、前記透磁孔の径が前記マグネットの径よりも小さく設定されていることを特徴とする。
【００１２】
請求項３記載の発明は、請求項１又は２記載の磁気健康用品において、前記基材部が、低反発性ウレタンフォームで形成されていることを特徴とする。
【００１３】
請求項４記載の発明は、請求項１〜３のいずれかに記載の磁気健康用品を製造する方法において、容器状に形成された金型本体の表面から突出する磁気突起部に前記マグネットを吸着させ、前記金型本体に溶融した樹脂を流し込み、前記溶融した樹脂を固体化させることにより、前記マグネットが前記樹脂内に埋設された状態で前記樹脂と前記マグネットとを一体化させるとともに、前記磁気突起部が配置されている部分に前記透磁孔を形成した状態で、前記基材部を形成し、この基材部を前記金型から取り外し、この取り外しに伴って前記マグネットを前記磁気突起部から取り外すことを特徴とする。
【００１４】
請求項５記載の発明は、請求項４記載の磁気健康用品の製造方法において、前記マグネットを、前記磁気突起部の外周部分から外周側に突出させた状態で前記磁気突起部に吸着させたことを特徴とする。
【００１５】
請求項６記載の発明は、請求項４又は５記載の磁気健康用品の製造方法に使用される金型であって、容器状に形成された金型本体に、この本体の表面から突出し、上端に前記マグネットが保持される磁気突起部が配設されていることを特徴とする。
【００１６】
請求項７記載の発明は、請求項６記載の磁気健康用品の製造方法に使用される金型であって、前記磁気突起部には、その内部に配置された磁性体と、この磁性体の外側に配置されて前記磁性体を保持するホルダー部とが具備されていることを特徴とする。
【００１７】
請求項８記載の発明は、請求項７記載の金型において、前記ホルダー部の上端には、前記マグネットと前記磁性体との吸着力を高めるためのホルダー孔が形成されていることを特徴とする。
【発明の効果】
【００１８】
請求項１記載の発明の構成を採ると、容器状に形成された金型本体の表面から突出する磁気突起部に前記マグネットを吸着させ、前記金型本体に溶融した樹脂を流し込み、前記溶融した樹脂を固体化させるだけで、前記マグネットが前記樹脂内に埋設された状態で前記樹脂と前記マグネットとを一体化させるとともに、前記磁気突起部が配置されている部分に前記透磁孔を形成した状態で、前記基材部を形成することが可能となる。
【００１９】
したがって、従来のようにマグネットを前記健康器具に埋設させるために、複数の部材を別々に製造し、これらの部材を貼り合わせるという工程を採る必要はなく、製造手間の軽減を図ることが可能となる。
【００２０】
さらに、前記マグネットが前記透磁孔の外周部分から突出した状態で配置されるように前記透磁孔の形状が形成されているため、前記透磁孔の周縁部で前記マグネットを係止することが出来、前記マグネットが前記透磁孔から前記磁気健康用品の外部に抜け出すことを阻止することが可能となる。
【００２１】
請求項２記載の発明の構成を採ると、前記マグネットは略円板状又は円柱状に形成されるとともに、前記透磁孔も略円柱状に形成され、前記透磁孔の径は前記マグネットの径よりも小さく設定されているため、前記透磁孔の周縁部で前記マグネットを係止することが出来、前記マグネットが前記透磁孔から前記磁気健康用品の外部に抜け出すことを阻止することが可能となる。
【００２２】
請求項３記載の発明の構成を採ると、前記基材部には低反発性ウレタンフォームを用いているため、人体と前記マグネットとが当接するとき、前記基材部に発生する反発力は小さいため、前記マグネットが過度な力で人体に押し付けられることがない。したがって、人体と前記マグネットとの接触部分において痛みを感じることを防止することが可能となり、より快適な状態で使用することが可能となる。
【００２３】
請求項４記載の製造方法を採ると、容器状に形成された金型本体の表面から突出する磁気突起部に前記マグネットを吸着させ、前記金型本体に溶融した樹脂を流し込み、前記溶融した樹脂を固体化させるだけで、前記マグネットが前記樹脂内に埋設された状態で前記樹脂と前記マグネットとを一体化するとともに、前記磁気突起部が配置されている部分に前記透磁孔を形成した状態で、前記基材部を形成することができるため、従来のようにマグネットを前記健康器具に埋設させるために、複数の部材を別々に製造し、これらの部材を貼り合わせるという工程を採る必要はなくなる。したがって、製造手間の軽減を図ることが可能となる。
【００２４】
請求項５記載の製造方法を採ると、前記マグネットを、前記磁気突起部の外周部分から外周側に突出させた状態で前記磁気突起部に吸着させるため、前記溶融した樹脂を固体化させて、前記樹脂内、すなわち基材部に前記マグネットを埋設された状態で前記透磁孔を形成した際、前記マグネットは、前記透磁孔の外周から突出された状態で前記基材部に埋設されることになる。
【００２５】
したがって、前記マグネットを前記透磁孔で係止することが可能となり、前記基材部を金型から取り外し、この取り外しに伴って前記マグネットを前記磁気突起部から取り外す場合等において、前記マグネットが前記基材部の外部に抜け出すことを阻止することが可能となる。
【００２６】
請求項６記載の発明の構成を採ると、前記金型本体の表面に、上端に前記マグネットが保持される磁気突起部が配設されているため、簡素な構成で、前記磁性体と前記マグネットとを吸着させたり、この吸着状態を外したりすることが可能となる。
【００２７】
請求項７記載の発明の構成を採ると、前記磁性体の外側に前記ホルダー部が配置されているため、前記金型内に前記樹脂を流し込んだ際、直接的に前記磁性体と前記樹脂とが接触することがなく、前記磁性体が劣化することを阻止することが出来る。
【００２８】
請求項８記載の発明の構成を採ると、前記ホルダー孔が形成されているため、前記マグネットと前記磁性体との吸着力を高めることが可能となる。
【発明を実施するための最良の形態】
【００２９】
本発明の実施の形態につき、図１〜図９を用いて説明する。図１、図２は、本実施形態の磁気健康用品を示したものである。なお、本実施形態では、磁気健康用品として磁気枕を例に挙げて説明している。
【００３０】
磁気枕１０（磁気健康用品）は、基材部１１と、マグネット１２と、透磁孔１３とを備えている。
【００３１】
基材部１１は、低反発性ウレタンフォームで構成されており、その表面１４は、人間の頭部や肩部にフィットすべく曲面に形成されている。マグネット１２は、略円板状又は円柱状に形成され、基材部１１の内部に複数個埋設されている。各々のマグネット１２と基材部１１の表面１４との間には、透磁孔１３が形成されている。透磁孔１３は、略円柱状に形成され、その径は、マグネット１２の径よりも小さく設定されている。
【００３２】
次に、この磁気枕１０を製造するために使用する金型２０につき、図３、図４を用いて説明する。
【００３３】
金型２０は、液体の樹脂が注入される容器となる本体２１と、その本体２１の蓋となる蓋部２２（図７参照）とを備えている。
【００３４】
本体２１は、液体の樹脂を貯留すべく容器状に形成された樹脂貯留部２３が凹設されている。この樹脂貯留部２３の底面２４には、基材部１１の表面１４に形成されるカーブに対応すべくカーブが設けられるともに、マグネット１２を吸着させるための突起部２５（磁気突起部）が突設されている。突起部２５は、ホルダー部２６と吸着用磁石２７（磁性体）とを備えている。ホルダー部２６は、略円筒状に形成され、その外径は透磁孔１３と略同じ径に設定されている。すなわち、ホルダー部２６の外径は、マグネット１２の径よりも小さく設定されている。さらに、ホルダー部２６の上面には、ホルダー孔２８が形成されている。吸着用磁石２７は、ホルダー部２６の内部に収納され、基材部１１のマグネット１２を吸着可能にしている。
【００３５】
以下、磁気枕１０の製造工程について図５〜図９を用いて説明する。なお、図５〜図９は、すべて図３のＶ−Ｖ断面図である。
【００３６】
まず、図５に示すとおり、突起部２５の上面にマグネット１２を吸着させる。この吸着は、マグネット１２の径は突起部２５の外径よりも大きいため、マグネット１２が突起部２５の外周部分から外周側に突出する状態で行われる。次に、図６に示すとおり、注入用ノズルｎから、溶融させて液体状とした低反発ウレタンフォームの樹脂Ｐを樹脂貯留部２３内に注入する。さらに、図７に示すとおり、かかる状態で金型２０の本体２１の上面に蓋部２２を嵌合させ、図８に示すとおり、前記樹脂Ｐを発泡させた状態で固体化させて基材部１１を形成する。
【００３７】
かかる状態においては、マグネット１２は基材部１１と一体化された状態で基材部１１内に埋設されており、突起部２５が配置されている部分には透磁孔１３が形成されている。
【００３８】
最後に図９に示すとおり、本体２１から蓋部２２を取り外し、本体２１から磁気枕１０を取り外す。なお、磁気枕１０の取り外し作業に伴い、マグネット１２も突起部２５から取り外される。
【００３９】
以上の構成を採ると、突起部２５にマグネット１２を吸着させ、樹脂貯留部２３に溶融した樹脂Ｐを流し込み、この樹脂Ｐを固体化させるだけで、マグネット１２が基材部１１内に埋設された状態で基材部１１とマグネット１２とを一体化させるとともに、突起部２５が配置されている部分に透磁孔１３を形成した状態で、基材部１１を形成することが可能となる。
【００４０】
したがって、従来のようにマグネットを磁気枕内に埋設させるために、複数の部材を別々に製造し、これらの部材を貼り合わせるという工程を採る必要はなく、製造手間の軽減を図ることが可能となる。
【００４１】
さらに、磁気枕１０を製造する際、マグネット１２を、突起部２５の外周部分から外周側に突出させた状態で突起部２５に吸着させるため、前記溶融した樹脂Ｐを固体化させて、マグネット１２を基材部１１に埋設された状態で透磁孔１３を形成する際、マグネット１２は、透磁孔１３の外周から外周側に突出された状態で基材部１１に埋設されることになる。
【００４２】
したがって、マグネット１２を透磁孔１３の周縁で係止することが可能となり、基材部１１を金型２０の樹脂貯留部２３から取り外し、この取り外しに伴ってマグネット１２を突起部２５から取り外す場合等において、マグネット１２が基材部１１の外部に抜け出すことを阻止することが可能となる。
【００４３】
さらに、磁気枕１０の使用時においても、マグネット１２が透磁孔１３から磁気枕１０の外部に抜け出すことを阻止することが可能となる。
【００４４】
また、基材部１１には低反発性ウレタンフォームを用いているため、人体と前記マグネット１２とが当接するとき、基材部１１に発生する反発力は小さいため、マグネット１２が過度な力で人体に押し付けられることがない。したがって、人体とマグネット１２との接触部分において痛みを感じることを防止することが可能となり、より快適な状態で使用することが可能となる。
【００４５】
なお、樹脂貯留部２３の底面２４には、上面にマグネット１２が保持される突起部２５が配設されているため、簡素な構成で、突起部２５の吸着用磁石２７とマグネット１２とを吸着させたり、この吸着状態を外したりすることが可能となる。
【００４６】
また、吸着用磁石２７の外側にホルダー部２６が配置されているため、金型２０の樹脂貯留部２３内に溶融した樹脂Ｐを流し込んだ際、直接的に吸着用磁石２７と樹脂Ｐとが接触することがなく、吸着用磁石２７が劣化することを阻止することが出来る。
【００４７】
さらに、ホルダー部２６の上面にはホルダー孔２８が形成されているため、マグネット１２と吸着用磁石２７との吸着力を高めることが可能となる。
【００４８】
以上、本発明の実施形態について説明したが、本発明の具体的構成は前記実施形態に限定されず、特許請求の範囲内で種々変更可能である。以下、他の実施形態について例示する。なお、以下に記載した実施形態において、前記実施形態と同構成のものについては、同一符号を付すのみとし、その詳細な説明は省略する。
【００４９】
（１）  本発明の磁気枕１００に配置されるマグネット１２は、少なくとも一つ以上配置されていれば、任意の数量を任意の箇所に配置してもよい。また、マグネット１２の磁気力についても任意の強さのものを配置することが可能である。
【００５０】
（２）  本発明の磁気健康用品としては、本実施形態で開示した磁気枕の他に、磁気を用いたベッド、磁気を用いた腰あて、ソファー等を挙げることが出来る。
【００５１】
（３）  マグネット１２の形状は円板状、透磁孔１３の形状は円柱状に必ずしも形成する必要はなく、マグネット１２が透磁孔１３の外周部分から突出した状態で配置されるようにマグネット１２及び透磁孔１３の形状が形成されていれば特に限定されるものではない。
【００５２】
（４）  基材部１１の素材は、必ずしも低反発性ウレタンフォームである必要はなく、発泡性合成樹脂等に代表される合成樹脂であれば任意の素材を使用することが可能である。
【００５３】
（５）  突起部２５は、必ずしも内部に吸着用磁石２７を備える構造とする必要はなく、突起部２５全体を磁性を有する素材で形成してもよい。
【図面の簡単な説明】
【００５４】
【図１】本発明の第一実施形態に係る磁気枕の斜視図である。
【図２】図１のＩＩ−ＩＩ断面図である。
【図３】図１に図示した磁気枕を製造するための金型の斜視図である。
【図４】図３に図示した金型の突起部の縦断面図である。
【図５】図１に図示した磁気枕の製造方法を示した図である。
【図６】図１に図示した磁気枕の製造方法を示した図である。
【図７】図１に図示した磁気枕の製造方法を示した図である。
【図８】図１に図示した磁気枕の製造方法を示した図である。
【図９】図１に図示した磁気枕の製造方法を示した図である。
【図１０】従来の磁気枕を示した斜視図である。
【図１１】従来の磁気枕の製造方法を示した斜視図である。
【符号の説明】
【００５５】
１０  磁気枕（磁気健康用品）
１１  基材部
１２  マグネット
１３  透磁孔
２０  金型
２１  本体（金型本体）
２５  突起部（磁気突起部）
２６  ホルダー部
２７  吸着用磁石（磁性体）
２８  ホルダー孔
【図１】
2005143913.tif 000003
【図２】
2005143913.tif 000004
【図３】
2005143913.tif 000005
【図４】
2005143913.tif 000006
【図５】
2005143913.tif 000007
【図６】
2005143913.tif 000008
【図７】
2005143913.tif 000009
【図８】
2005143913.tif 000010
【図９】
2005143913.tif 000011
【図１０】
2005143913.tif 000012
【図１１】
2005143913.tif 000013